(57)【特許請求の範囲】
【請求項１】
遊技機の機台枠と、該機台枠の前面側に片開き状に取り付けられた表枠と、
該表枠の自由端側の内面側に沿って縦設される固定基枠と、
該固定基枠に形成されたスライド保持片に摺動可能な可動錠板と、
該可動錠板の両端に備えられ、該可動錠板の上下摺動に伴って連動される鉤部材と、
該鉤部材と係合される機台枠に取り付けられた鉤受け部材と、を備えた遊技機の錠装置であって、
前記可動錠板には、該可動錠板に枢支される不正開錠防止部材を備えており、
該不正開錠防止部材には弾性部材が掛着されており、該弾性部材により不正開錠防止部材をその不正開錠防止位置から鉤受け部材側に常時回動付勢されていると共に、該不正開錠防止部材には前記可動錠板の摺動を規制する摺動規制部位が形成されており、
前記鉤受け部材には、前記摺動規制部位と係合される係合部位と、前記不正開錠防止部材に当接する当接部位を有しており、
前記機台枠に対する前記表枠の施錠時に前記鉤部材が前記鉤受け部材に係合されると共に、前記当接部位が、前記不正開錠防止部材と当接することで前記弾性部材の回動付勢力に抗して前記不正開錠防止部材を回動させて、前記摺動規制部位と前記係合部位との係合位置を前記可動錠板の摺動を規制する不正開錠防止位置に移動させることを特徴とする遊技機の錠装置。
【発明の詳細な説明】
【技術分野】
【０００１】
本発明は、遊技機の錠装置に関する。詳細には、遊技機の錠装置の不正開錠防止機構に関する。
【背景技術】
【０００２】
従来より、例えば特許文献１のパチンコ機の錠装置が知られている。
このパチンコ機の錠装置は、パチンコ機の機台枠の前面側に片開き状に取り付けられた表枠と、表枠の前面側に片開き状に取り付けられた金枠と、表枠の自由端側の内面側に沿って縦設される固定基枠と、固定基枠に形成されたスライド保持片に摺動可能な可動錠板と、可動錠板の両端に備えられ、可動錠板の上下摺動に伴って連動される鉤部材と、鉤部材と係合される機台枠に取り付けられた鉤受け部材とを備えたものである。
更に、このパチンコ機の錠装置においては、金枠と表枠との隙間等から可動錠板を不正に操作して開錠する不正開錠の問題に鑑み、施錠時の可動錠板の動きを規制する働きをする不正開錠防止機構を一体に組み付けることで不正開錠防止を図っている。
【０００３】
この不正開錠防止機構は、図８、図９（ａ）（ｂ）に図示されるように、係合部材３００とクラッチ部材３０６から構成されており、可動錠板３１０、ハネ出しプレート３１２と重なり合って配置されている。
図９（ａ）は、不正開錠防止機構の無効状態が図示されている。
図９（ａ）に図示されるように、金枠３１４（図９（ｂ）参照）が開錠されている状態においては、係合部材３００がバネ部材３１６の弾性力によって、ガイドピン３２６を中心に時計回転方向に回転されることから、係合片３０２は、クラッチ部材３０６の係合凹部３０８と係合されない位置に付勢されており、クラッチ部材３０６と、クラッチ部材３０６とガイドピン３２８によって連結された可動錠板３１０は下方に摺動することができる不正開錠防止機構の無効状態となっている。
【０００４】
一方、  図９（ｂ）は、不正開錠防止機構の有効状態が図示されている。以下に不正開錠防止機構の無効状態から金枠３１４を閉じる場合のパチンコ機の錠装置の動作を説明する。
図９（ｂ）に図示されるように、鉤部材３１８の先端テーパー部３２０に鉤受け部材３２２が接触すると、バネ部材３１６の弾性力に抗して、鉤部材３１８、鉤部材３１８に連動する可動錠板３１０、可動錠板３１０に連結されたクラッチ部材３０６が下方に摺動する。そして鉤受け部材３２２が鉤部材３１８の係合位置３２４に完全に係合すると、鉤部材３１８、可動錠板３１０、クラッチ部材３０６はバネ部材３１６の弾性力により再び上方に移動し、鉤部材係合完了状態となる。
このときに金枠３１４と係合部材３００の作動レバー３０４が接触し、係合部材３００をガイドピン３２６を中心に反時計回転方向に回動させることから、係合片３０２がクラッチ部材３０６の係合凹部３０８と係合する位置に移動する。そうすると、クラッチ部材３０６に連結された可動錠板３１０が下方に移動できない状態である不正開錠防止機構の有効状態となる。
なお、この不正開錠防止機構はパチンコ機の錠装置に限定されるものではなく、スロット機等の遊技機の錠装置においても適用できるものである。
【特許文献１】特開平１０−１３７４１４号公報
【発明の開示】
【発明が解決しようとする課題】
【０００５】
しかしながら、特許文献１に記載した従来技術では、以下の問題があった。
この不正開錠防止機構は鉤部材係合完了状態と、不正開錠防止機構の有効状態になるタイミングが重要であり、鉤部材係合完了状態の後に不正開錠防止機構の有効状態に移行する必要がある。すなわち、不正開錠防止機構の無効状態（図９（ａ））から金枠３１４を閉じられる際、鉤部材３１８、可動錠板３１０、クラッチ部材３０６が下方に摺動する前に不正開錠防止機構が有効状態（図９（ｂ））に移行してしまうと、これらが下方に摺動できない状態となり、金枠は施錠できない状態となってしまう。また逆に、鉤部材係合完了状態になっても、金枠３１４と作動レバー３０４が接触せず不正開錠防止機構の有効状態に移行しなければ、金枠３１４が閉じられた状態でも本来の不正開錠防止機能を図れない状態となる。
【０００６】
すなわち、鉤部材３１８と鉤受け部材３２２の係合する位置に対し、作動レバー３０４の金枠３１４側への突き出し量のわずかな差で鉤部材係合完了状態と、不正開錠防止機構の有効状態になるタイミングが異なるため作動調整は難しい。それに加え、金枠３１４と作動レバー３０４の接触する位置と、鉤部材３１８と鉤受け部材３２２の係合する位置が独立して配置されているため、この調整をより困難なものとしていた。
更に、従来の不正開錠防止機構の構成は、係合部材３００とクラッチ部材３０６から構成されており、可動錠板３１０、ハネ出しプレート３１２が重なり合って配置されているため構成品が多く、材料費、制作費等のコスト面に課題を有していた。
更に上記複数の構成品が重なり合って、複雑な構成であるため故障の発生が起こりやすい傾向にあり信頼性に課題を有していた。
【０００７】
本出願人は、上記問題点について鋭意検討の結果、金枠３１４と作動レバー３０４の接触する位置と、鉤部材３１８と鉤受け部材３２２の係合する位置が独立して配置されていることから作動レバー３０４の作動調整を困難にしていることに着目した。すなわち、不正開錠防止機構を有効状態にさせる位置と、鉤部材３１８と鉤受け部材３２２が鉤部材係合完了状態になる位置を同一位置にすることができれば、不正開錠防止機構の作動調整もより一層容易になることに着目したものである。
更に、部品点数の簡素化をすることで、コスト面の低減を図ることができ、故障発生頻度を低減させることができることに着目したものである。
【０００８】
本発明は、このような点に鑑みて創案されたものであり、不正開錠防止機構について、従来に比べて、より一層良好に鉤部材係合完了状態から不正開錠防止機構の有効状態への移行をすることができると共に、コスト面の低減と、信頼性の向上を図った遊技機の錠装置を提供することを課題とする。
【課題を解決するための手段】
【０００９】
上記した課題を達成するために、本発明に係る遊技機の錠装置は、次の手段をとる。
本発明の第１の発明は、遊技機の機台枠と、該機台枠の前面側に片開き状に取り付けられた表枠と、該表枠の自由端側の内面側に沿って縦設される固定基枠と、該固定基枠に形成されたスライド保持片に摺動可能な可動錠板と、該可動錠板の両端に備えられ、該可動錠板の上下摺動に伴って連動される鉤部材と、該鉤部材と係合される機台枠に取り付けられた鉤受け部材と、を備えた遊技機の錠装置であって、前記可動錠板には、該可動錠板に枢支される不正開錠防止部材を備えており、該不正開錠防止部材には弾性部材が掛着されており、該弾性部材により不正開錠防止部材をその不正開錠防止位置から鉤受け部材側に常時回動付勢されていると共に、該不正開錠防止部材には前記可動錠板の摺動を規制する摺動規制部位が形成されており、前記鉤受け部材には、前記摺動規制部位と係合される係合部位と、前記不正開錠防止部材に当接する当接部位を有しており、前記機台枠に対する前記表枠の施錠時に前記鉤部材が前記鉤受け部材に係合されると共に、前記当接部位が、前記不正開錠防止部材と当接することで前記弾性部材の回動付勢力に抗して前記不正開錠防止部材を回動させて、前記摺動規制部位と前記係合部位との係合位置を前記可動錠板の摺動を規制する不正開錠防止位置に移動させることを特徴とする。
【００１０】
この第１の発明によれば、可動錠板に枢支される不正開錠防止部材が備えられている。この不正開錠防止部材には弾性部材が掛着されており、この弾性部材により不正開錠防止部材をその不正開錠防止位置から鉤受け部材側に常時回動付勢されている。そして、不正開錠防止部材には、可動錠板の摺動を規制する摺動規制部位が形成されている。
そして、前記鉤受け部材には、摺動規制部位と係合される係合部位と、不正開錠防止部材に当接する当接部位を有している。
この、不正開錠防止部材と鉤受け部材によって、二つの機能を果たす。
先ず一つ目に機台枠に対する表枠の施錠時に鉤部材が係合される機能である。
もう一つは、鉤受け部材の当接部が鉤部材と係合の後において、不正開錠防止部材の摺動規制部位と鉤受け部材の係合部位との係合位置を可動錠板の摺動を規制する不正開錠防止位置にさせる機能である。
【００１１】
この二つの機能が同一部材である鉤受け部材によって果たされることから、当接部が不正開錠防止部材の摺動規制部位と鉤受け部材の係合部位との係合位置を可動錠板の摺動を規制する不正開錠防止位置にさせる位置と、鉤部材と鉤受け部材の係合位置を同時に設定することができる。そのため不正開錠防止機構の調整が容易となる。また、これにより鉤部材が完全に係合状態になってから不正開錠防止機構を有効状態に移行させることが容易となる。また、従来のように独立して不正開錠防止機構を備える必要が無くなる。更には、不正開錠防止部材は単一の部材において構成されることから、部品点数の簡素化をすることができ、コスト面の低減を図ることができる。また、遊技機の錠装置が複雑な構成にならないため、故障発生頻度を低減させることができるため信頼性の向上を図ることができる。
なお、不正開錠防止部材の摺動規制部位と鉤受け部材の係合部位との係合位置の「不正開錠防止位置」とは、不正開錠防止部材の摺動規制部位と鉤受け部材の係合部位が係合されることによって可動錠板の摺動が規制されて、それに伴って可動錠板と連動する鉤部材が作動を規制されて開錠ができない状態になる位置をいう。
【発明の効果】
【００１２】
本発明は上記手段をとることにより次の効果を得ることができる。
本発明の遊技機の錠装置によれば、不正開錠防止機構の調整が容易であり、鉤部材が完全に係合状態になってから不正開錠防止機構を有効状態に移行させることが容易となる。また、部品点数の簡素化をすることができ、コスト面の低減を図ることができる。また、遊技機の錠装置が複雑な構成にならないため、故障発生頻度を低減させることができるため信頼性の向上を図ることができる。
【発明を実施するための最良の形態】
【００１３】
以下に本発明を実施するための最良の形態を図面を用いて説明する。
本実施の形態は、遊技機の錠装置の内、パチンコ機の錠装置において説明する。
なお、本実施の形態はパチンコ機の錠装置において説明するが、これに限定されるものではなく、スロット機等の他の遊技機の錠装置においても適用できるものである。
図１は、本実施例に係るパチンコ機の錠装置を前方から見た斜視図である。
図２は、本実施例に係るパチンコ機の後方から見た斜視図である。
図１に図示されるように、このパチンコ機１０は、略方形枠状に枠組み形成された機台枠１２と、この前面側にヒンジ（図示せず）を介して片開き状に取付けられる略方形状に枠組み形成された表枠２２と、この表枠２２の前面上下側にヒンジを介して片開き状に取付けられるガラスを取付けた金枠２６と、この金枠２６の下部側にヒンジを介して片開き状に前枠２８が取付けられている。また、図２に示すように機台枠１２の一方の縦枠１２ａの内側面の上下の所定位置には、表枠２２の自由端側の縦枠２２ａの裏面側に取付けられた後述する施錠ユニット３０の第１可動錠板５６に枢支されている鉤部材７６ａ、鉤部材７６ｂと係合する鉤受け部材１８ａ、鉤受け部材１８ｂを内方に突出する鉤受け金具１８が止着されている。
【００１４】
また図１に図示されるように、この表枠２２の縦枠２２ａの上下の所定の位置にはその裏面側に取付けられた施錠ユニット３０の第２可動錠板１５０のロック爪１７０ａ、ロック爪１７０ｂを挿通する長孔２２ｂ、長孔２２ｃが貫設されている。また、縦枠２２ａの下部側には所定の間隔で施錠ユニット３０の第３スライド保持片４８に上下にスライド可能に取付けられた第３可動錠板２００のロック爪２１０を挿通する長孔２２ｄが貫設されている。また、上下の長孔２２ｂ、長孔２２ｃ間の所定の位置にはシリンダー錠１４０を取付ける錠取付孔２２ｅが貫設されている。
【００１５】
金枠２６の回動自由端側の裏面の上下の所定位置には、この第２可動錠板１５０のロック爪１７０ａ、ロック爪１７０ｂと係合するロック受け金具２６ａ、ロック受け金具２６ｂが止着されている。また、前枠２８の回動自由端側の裏面の上下の所定位置には施錠ユニット３０の第３可動錠板２００のロック爪２１０と係合するロック受け金具２８ａが取付けられている。
【００１６】
次に、表枠２２の自由端側の縦枠２２ａの内面側に取り付けられた施錠ユニット３０について説明する。図３は、本実施例に係るパチンコ機の錠装置の各構成品を後方、かつ、下方から見た構成図である。なお、図３の図示において、金枠２６、前枠２８は図示を省略している。
図３に図示されるように、この施錠ユニット３０は、主に、固定基枠３２、第１可動錠板５６、鉤部材７６ａ，鉤部材７６ｂ、開錠カム部材１０６、シリンダー錠１４０、第２可動錠板１５０、第３可動錠板２００から構成されており、更に、第１可動錠板５６には不正開錠防止機構８３が介装されている。
【００１７】
図３に図示されるように、この固定基枠３２は、表枠２２の縦枠２２ａの内側面略同一長さの板部材からなり、取付片３４と、第１スライド保持片４０、第２スライド保持片４４、第３スライド保持片４８、第４スライド保持片５０、第５スライド保持片５２とによって構成されており、断面略Ｌ字状に形成されている。取付片３４の下方の所定位置にはシリンダー錠取付孔３６が形成されており、シリンダー錠１４０が、ねじ１４２によって着脱可能にかつ位置調整可能に取り付けられている。
【００１８】
また、シリンダー錠取付孔３６に対応する位置には、第２スライド保持片４４が形成されており、開錠カム部材１０６の第１開錠片１０７ａ、第２開錠片１０７ｂの逃し長孔４６が貫設されている。
図３の図示上、第２スライド保持片４４の上方側には第１スライド保持片４０が形成されており、機台枠１２に取付けられた鉤受け部材１８ａと対応する所定位置に鉤部材７６ａが回動ピン１１０によって回動自在に枢支できるように回動ピン結合孔が設けられている。
図３の図示上、第２スライド保持片４４の下方側には第３スライド保持片４８が形成されており、機台枠１２に取付けられた鉤受け部材１８ｂと対応する所定位置には、鉤部材７６ｂが回動ピン１１２によって回動自在に枢支できるように回動ピン結合孔が設けられている。
【００１９】
図３の図示上、取付片３４の上端部には、第４スライド保持片５０が形成されている。
この第４スライド保持片５０は、取付片３４の上端部において、金枠２６（図１参照）方向に垂直して形成されている。そして、金枠２６に取付けられたロック受け金具２６ａ（図１参照）と対応する所定位置に第２可動錠板１５０のロック爪１７０ａのスリット１７８ａとカシメピン１２４がスライド可能なようにカシメピン結合孔が設けられている。
図３の図示上、取付片３４における第１スライド保持片４０の下端部位置には、第５スライド保持片５２が形成されている。この第５スライド保持片５２は、取付片３４における第１スライド保持片４０の下端部位置において、金枠２６（図１参照）方向に垂直して形成されている。そして、金枠２６に取付けられたロック受け金具２６ｂ（図１参照）と対応する所定位置に第２可動錠板１５０のロック爪１７０ｂのスリット１７８ｂとカシメピン１２６がスライド可能なようにカシメピン結合孔が設けられている。
【００２０】
また、固定基枠３２の第１スライド保持片４０、第２スライド保持片４４、第３スライド保持片４８は段差した配置になっている。第１スライド保持片４０と第３スライド保持片４８は、表枠２２の縦枠２２ａから機台内方側への距離が同じ距離になっており、第２スライド保持片４４は、第１スライド保持片４０、第３スライド保持片４８よりも更に機台内方側に配置されている。
【００２１】
第１可動錠板５６は、細長い板部材で形成されており、長手方向を固定基枠３２の第１スライド保持片４０、第２スライド保持片４４、第３スライド保持片４８と略平行方向で固定基枠３２内に重なった状態で配置され、上端には回動ピン１１４によって鉤部材７６ａと枢支されるための回動ピン結合孔６０が設けられており、下端には回動ピン１１６によって鉤部材７６ｂと枢支されるための回動ピン結合孔７４が設けられている。
【００２２】
また、固定基枠３２の第１スライド保持片４０、第２スライド保持片４４、第３スライド保持片４８が段差配置になっているのに伴い、第１可動錠板５６の長手方向の断面形状も段差形状を形成しており、上端側から、第１摺接部５８、第２摺接部６２、第３摺接部７２が、固定基枠３２の第１スライド保持片４０、第２スライド保持片４４、第３スライド保持片４８に対応して摺接するように形成されている。
【００２３】
また、第２摺接部６２には、シリンダー錠取付孔３６に対応する位置に、開錠カム部材係合孔６４ａと開錠カム部材係合孔６４ｂが縦方向に間隔を開けて並んで形成されている。この間に設けられている部分が、開錠カム部材１０６の第１開錠片１０７ａと係合する開錠カム部材係合片６８として形成されている。この開錠カム部材係合孔６４ａと開錠カム部材係合孔６４ｂ及び、開錠カム部材係合片６８は、固定基枠３２の第２スライド保持片４４に形成された逃し長孔４６と重なり合うように形成されている。
また、第２摺接部６２には、開錠カム部材係合孔６４ａと開錠カム部材係合孔６４ｂの形成されている位置よりも機台枠１２側に、不正開錠防止部材８４が枢支されるための回動ピン結合孔７０が形成されている。
【００２４】
鉤部材７６ａは、固定基枠３２の第１スライド保持片４０に取付けられており、鉤部材７６ｂは、固定基枠３２の第３スライド保持片４８に取付けられている。鉤部材７６ａ、鉤部材７６ｂは、回動ピン１１０、回動ピン１１２と結合される反対側の端部の先端が先細りとなるテーパー部８０を形成しており、上方側には鉤受け部材１８ａ、鉤受け部材１８ｂが係合する係合凹部８２が形成されている。
図３に図示されるように、第１スライド保持片４０において、機台枠１２に取付けられた鉤受け部材１８ａと対応する所定位置に、鉤部材７６ａが回動ピン１１０によって回動自在に結合、すなわち枢支されている。さらに、鉤部材７６ａは第１スライド保持片４０との枢支された位置より取付片３４側の位置において、第１可動錠板５６の上端側の回動ピン結合孔６０を通じて回動ピン１１４によって回動自在に結合、すなわち枢支されている。これにより、鉤部材７６ａは、第１可動錠板５６の上下摺動に伴って連動することができる。
【００２５】
同様に、第３スライド保持片４８において、機台枠１２に取付けられた鉤受け部材１８ｂと対応する所定位置に、鉤部材７６ｂが回動ピン１１２によって回動自在に結合、すなわち枢支されている。さらに、鉤部材７６ｂは第３スライド保持片４８との枢支された位置より取付片３４側の位置において、第１可動錠板５６の下端側の回動ピン結合孔７４を通じて回動ピン１１６によって回動自在に結合、すなわち枢支されている。これにより、鉤部材７６ｂは、第１可動錠板５６の上下摺動に伴って連動することができる。これらより、第１可動錠板５６の上方への摺動に伴って連動して、鉤部材７６ａ、鉤部材７６ｂは、図２の図示上、時計回転方向に回動することで係合凹部８２と鉤受け部材１８ａ及び鉤受け部材１８ｂとの係合を可能としている。
【００２６】
第２可動錠板１５０は、概略、第１摺接部１５２、第２摺接部１５４、第３摺接部１６０、第４摺接部１７６から構成されている。この第４摺接部１７６は固定基枠３２の取付片３４と略平行に摺接するように形成されている。そして第４摺接部１７６に垂直方向で、かつ、機体枠１２方向には第１摺接部１５２、第２摺接部１５４、第３摺接部１６０が鉛直して断面略Ｌ字状に形成されている。この第２摺接部１５４、第３摺接部１６０は固定基枠３２の第１スライド保持片４０、第２スライド保持片４４と、第１可動錠板５６の第１摺接部５８、第２摺接部６２と挟まれた状態で摺設するように配置形成されている。
【００２７】
また、固定基枠３２の第１スライド保持片４０と第２スライド保持片４４が段差配置になっているのに伴い、第２可動錠板１５０の長手方向の断面形状も段差形状を形成して固定基枠３２の第１スライド保持片４０、第２スライド保持片４４と摺接可能に形成されている。すなわち、第１摺接部１５２、第２摺接部１５４は同一の高さに形成されており、第３摺接部１６０が、固定基枠３２の第２スライド保持片４４の段差形状に対応して摺接可能に形成されている。
【００２８】
図３の図示上、第４摺接部１７６の上端部には、ロック爪１７０ａが第４摺接部１７６と一体に形成されている。このロック爪１７０ａは、第４摺接部１７６の上端部において、金枠２６（図１参照）方向に垂直に形成されている。このロック爪１７０ａの先端は先細りとなるテーパー部１７２を形成しており、上方側には金枠２６（図１参照）のロック受け金具２６ａ（図１参照）と係合する係合部１７４が形成されている。また、ロック爪１７０ａの略中央には、スリット１７８ａが第２可動錠板１５０と略平行方向に長孔状に形成されている。これにより、固定基枠３２の第４スライド保持片５０とカシメピン１２４が、このスリット１７８ａを通じて固定されるため、ロック爪１７０ａがスライド可能に支持されている。
【００２９】
図３の図示上、第４摺接部１７６の下端部には、ロック爪１７０ｂが第４摺接部１７６と一体に形成されている。このロック爪１７０ｂは、第４摺接部１７６の下端部において、金枠２６（図１参照）方向に垂直して形成されている。このロック爪１７０ｂの先端は先細りとなるテーパー部１７２を形成しており、上方側には金枠２６（図１参照）のロック受け金具２６ｂ（図１参照）と係合する係合部１７４が形成されている。また、ロック爪１７０ｂの略中央には、スリット１７８ｂが第２可動錠板１５０と略平行方向に長孔状に形成されている。これにより、固定基枠３２の第５スライド保持片５２とカシメピン１２６が、このスリット１７８ｂを通じてを通じて固定されるため、ロック爪１７０ｂがスライド可能に支持されている。
【００３０】
また、第４摺接部１７６のロック爪１７０ａ、ロック爪１７０ｂの間には、第４摺接部１７６の面から切り起こし状に第２バネ掛け部１８０ｂが形成されている。
そしてこの第２バネ掛け部１８０ｂには、第２バネ部材１８０の一端が連結されている。更に、図３の図示上、第２バネ掛け部１８０ｂより上方側位置であって、かつ第１可動錠板５６の第１摺接部５８の端部には、第２バネ掛け部１８０ａが形成されており、第２バネ部材１８０の他端が連結されている。これにより、第２可動錠板は、第２バネ部材１８０の付勢力により常時は図３の図示上、上方側に付勢されている。
【００３１】
第２摺接部１５４の略中央には、操作レバー１５８が取付けられている。この操作レバー１５８は、表枠２２を開放した場合において、シリンダー錠１４０の操作をしなくても金枠２６（図１参照）を開放することができるように設けられたものである。この操作レバー１５８は、第２摺接部１５４の略中央に形成された操作レバー取付部位１５６と回動ピン１３２によって回動自在に枢支されている。この操作レバー１５８は、施錠時においては、図３の図示上、反時計回転方向に回動して第２可動錠板と略平行の位置に静止される。金枠２６（図１参照）を開錠する際には、操作レバー１５８を図３の図示上、時計回転方向に回動して第２可動錠板に略垂直の位置に静止され、下方に操作力を及ぼすと第２バネ部材１８０の弾性力に抗して第２可動錠板が下方に摺動して、ロック爪１７０ａ、ロック爪１７０ｂとロック受け金具２６ａ、ロック受け金具２６ｂとの係合が解除されて金枠２６（図１参照）が開錠される。
【００３２】
第３摺接部１６０には、固定基枠３２のシリンダー錠取付孔３６に対応する位置に、開錠カム部材係合孔１６２が第２可動錠板１５０と略平行に長孔状に形成されている。そしてこの開錠カム部材係合孔１６２と第３摺接部１６０の下端部の間に設けられている部分が、開錠カム部材１０６の第２開錠片１０７ｂと係合する開錠カム部材係合片１６４として形成されている。また、開錠カム部材係合孔１６２及び開錠カム部材係合片１６４は、固定基枠３２の第２スライド保持片４４に形成された逃し長孔４６と重なり合うように形成されている。
【００３３】
第３可動錠板２００は、概略、第１摺接部２０２、第２摺接部２０４から構成されている。この第３可動錠板２００は、固定基枠３２に対し機台内方面側より取付けられており、第１摺接部２０２が第２スライド保持片４４と、第２摺接部２０４が第３スライド保持片４８と略平行に摺接可能に配置形成されている。
この第１摺接部２０２には、スリット２０８ａが第２可動錠板１５０と略平行方向に長孔状に形成されている。これにより、固定基枠３２の第２スライド保持片４４とカシメピン１２８が、このスリット２０８ａを通じて固定されるため、第１摺接部２０２がスライド可能に支持される。
同じく第２摺接部２０４には、スリット２０８ｂが第２可動錠板１５０と略平行方向に長孔状に形成されている。これにより、固定基枠３２の第３スライド保持片４８とカシメピン１３０が、このスリット２０８ｂを通じて固定されるため、第２摺接部２０４がスライド可能に支持される。
【００３４】
また、第２摺接部２０４には、ロック爪２１０が前枠２８（図１参照）方向に延びて形成されている。このロック爪２１０の先端は先細りとなるテーパー部２１２を形成しており、上方側には前枠２８（図１参照）のロック受け金具２８ａと係合する係合部２１４が形成されている。
また、ロック爪２１０の下端側には、第２摺接部２０４の面に対し機台外方側へ垂直に第３バネ掛け部２２０ｂが形成されている。
そしてこの第３バネ掛け部２２０ｂには、第３バネ部材２２０の一端が連結されている。更に、図３の図示上、第３バネ掛け部２２０ｂより上方側位置であって、かつ第１可動錠板５６の第３摺接部７２の端部には、第３バネ掛け部２２０ａが形成されており、第２バネ部材２２０の他端が連結されている。これにより、第３可動錠板は、第３バネ部材２２０の付勢力により常時は図３の図示上、上方側に付勢されている。
【００３５】
第１摺接部２０２の上端部には操作レバー２０６が形成されている。この操作レバー２０６は、表枠２２を開放してこの操作レバー２０６を操作することによって、前枠２８を開放することができるように設けられたものである。この操作レバー２０６は、第１摺接部２０２の上端部において、第１摺接部２０２の面と略垂直に、かつ、機台内方側に形成されている。これにより、この操作レバー２０６への操作力を下方に及ぼすと第３バネ部材２２０の弾性力に抗して第３可動錠板２００が下方に摺動して、ロック爪２１０とロック受け金具２８ａとの係合が解除されて前枠２８が開錠される。
【００３６】
次に、不正開錠防止機構８３について説明する。図３に図示されるように、この不正開錠防止機構８３は、不正開錠防止部材８４、第１バネ部材１０４から構成されている。
不正開錠防止部材８４は、細長い板部材で形成されており、長手方向を第１可動錠板５６の第２摺接部６２と平行した向きで重なり合って配置されている。また、上端を回動ピン１１８によって回動自在に結合、すなわち枢支されている。
【００３７】
また、不正開錠防止部材８４において、第１可動錠板５６に形成されている開錠カム部材係合孔６４ａと開錠カム部材係合孔６４ｂ及び開錠カム部材係合片６８に対応する位置には、開錠カム部材１０６の第１開錠片１０７ａと係合される開錠カム部材係合片８６が形成されている。また、その回動ピン１１８と枢支された位置の下方側には、第１バネ掛け部１０４ａが形成されており、バネ部材１０４の一端が連結されている。
そして、回動ピン１１８と枢支された位置の上方側の位置における、第１可動錠板５６の第２摺接部６２の端部には、第１バネ掛け部１０４ｂが形成されており、バネ部材１０４の他端が連結されている。これにより、不正開錠防止部材８４は、バネ部材１０４の付勢力により、常時は図３の図示上、回動ピン１１８を中心に反時計回転方向に付勢されている。
【００３８】
更に、不正開錠防止部材８４の下端部は、この不正開錠防止部材８４が回動ピン１１８を中心に回動する際に一定の範囲で回動させるためのガイド片８７が形成されている。
そして、固定基枠３２の第３スライド保持片４８の下端部には、このガイド片８７が挿通されるスリット４９が形成されている。
これにより、不正開錠防止部材８４は、ガイド片８７がスリット４９の両端のスリット端部４９ａ、スリット端部４９ｂに当接する位置までの範囲で回動することができる。
すなわち、不正開錠防止部材８４はバネ部材１０４の付勢力によって、図３の図示上、反時計回転方向に付勢されて、ガイド片８７がスリット４９のスリット端部４９ａに当接した位置で静止した状態を保っている。
【００３９】
また、不正開錠防止部材８４の下端側の機台枠１２側には、第１可動錠板５６の摺動を規制する摺動規制部位８５が平板部９１から機台枠１２方向へ延びて形成されている。
この摺動規制部位８５の角部は、滑らかな円弧形状をした円弧部位８５ｒ（図４参照）に形成されている。また、摺動規制部位８５の係合する位置は、鋭角状の切り欠き部を有した係合部位８５ａ（図４参照）を有している。
更に、不正開錠防止部材８４は、機台枠１２に取付けられた鉤受け部材１８ｂと対応する所定位置に、作動レバー部位１０２が、鉤受け部材１８ｂ側に突出した形で形成されている。この作動レバー部位１０２の端部は、表枠２２が機台枠１２に対して閉止されるときにおいて、鉤受け部材１８ｂの当接部１９と接するように配置形成されている。
【００４０】
開錠カム部材１０６は、シリンダー錠の先端に取付けられるものであり、略円板形状をしており、開錠カム部材１０６の略中央の取付孔１０８に皿ネジ１０９によって取付けられている。そして、第１可動錠板５６の開錠カム部材係合片６８及び、不正開錠防止部材８４の開錠カム部材係合片８６と係合可能な爪状の第１開錠片１０７ａ、第２可動錠板１５０の開錠カム部材係合片１６４と係合可能な爪状の第１開錠片１０７ｂが略円板形状の半径方向に突出して形成されている。
【００４１】
このように構成された施錠ユニット３０について、表枠２２を機台枠１２に閉止する時、及び表枠２２を機台枠１２から開放する時における、不正開錠防止機構８３の作動について以下に説明する。
図４、図５、図６、図７は本実施例に係るパチンコ機の錠装置の不正開錠防止機構８３の作動状態を側面から見た側面図である。
また、後述の鉤部材７６ｂと鉤受け部材１８ｂの作動と、鉤部材７６ａと鉤受け部材１８ａの作動は同様であることから鉤部材７６ａと鉤受け部材１８ａは図示を省略している。
【００４２】
図４は、表枠２２（図３参照）が機台枠１２（図３参照）に対して開放された状態を示している。この状態において、鉤部材７６ｂの係合凹部８２と鉤受け部材１８ｂは、係合されていない状態である。この状態では、第１可動錠板５６は第２可動錠板（図３参照）１５０と、第２バネ部材１８０（図３参照）によって連結されているため、このバネ部材１８０の付勢によって常時は第１可動錠板５６と、第１可動錠板５６に連結されている不正開錠防止部材８４は下方側に付勢されている。
また、不正開錠防止部材８４は、第１可動錠板５６とバネ部材１０４によって連結されているため、不正開錠防止部材８４はバネ部材１０４の付勢力によって、図４の図示上、反時計回転方向に付勢されて、ガイド片８７がスリット４９のスリット端部４９ａに当接した位置で静止した状態を保っている。
【００４３】
図５は、表枠２２（図３参照）が機台枠１２（図３参照）に対して閉止される途中状態を示している。図５に図示されるように、表枠２２（図３参照）が機台枠１２（図３参照）に向かって閉じられると、鉤部材７６ｂのテーパー部８０が鉤受け部材１８ｂの下端部と接触する。更に、表枠２２（図３参照）が機台枠１２（図３参照）に閉じられる方向に移動すると、テーパー部８０が鉤受け部材１８ｂに押し下げられ、鉤部材７６ｂは回動ピン１１２を中心として図５の図示上、時計回転方向に回転する。
そうすると、鉤部材７６ｂに回動ピン１１６で連結された第１可動錠板５６、及び、第１可動錠板５６と回動ピン１１８で連結された不正開錠防止部材８４が、常時はバネ部材１８０（図３参照）によって下方に付勢されているところ、このバネ部材１８０に抗して上方に摺動する。
このとき、不正開錠防止部材８４の摺動規制部位８５の端部が、鉤受け部材１８ｂの当接部１９に押され、不正開錠防止部材８４は回動ピン１１８を中心に図５の図示上、時計回転方向に回転する。
【００４４】
図６は、表枠２２（図２参照）が機台枠１２（図２参照）に対して閉止された状態を示している。この状態が、不正開錠防止機構８３の有効状態である。
図６に図示されるように、鉤受け部材１８ｂが鉤部材７６ｂの係合凹部８２に係合すると、鉤部材７６ｂは、バネ部材１８０（図３参照）の弾性力によって反時計回転方向に回転し、それと共に、第１可動錠板５６と不正開錠防止部材８４も下方に摺動する。
そうすると、鉤受け部材１８ｂの下端部が摺動規制部位８５の円弧部位８５ｒ上を摺動して係合部位８５ａの係合位置へ摺動する。
その後、係合凹部８２に係合された鉤受け部材１８ｂの表枠２２（図２参照）側に備えられた当接部１９が、不正開錠防止部材８４の作動レバー部位１０２と接触して、不正開錠防止部材８４を回動ピン１１８を中心に図６の図示上、時計回転方向に回転させる。そうすると、その回転と共に、不正開錠防止部材８４の係合部位８５ａ（図４参照）と鉤受け部材１８ｂの係合部位２０（図４参照）の係合が完了し、不正開錠防止機構８３の有効状態となる。このとき、鉤受け部材１８ｂの係合部位２０は、不正開錠防止部材８４の係合部位８５ａの鋭角状の切り欠き部に食い込むように係合する。そのため係合状態が外れにくい構成となっている。
【００４５】
この不正開錠防止機構８３の有効状態においては、鉤受け部材１８ｂの係合部位２０と不正開錠防止部材８４の係合部位８５ａが係合している。これにより、不正開錠防止部材８４と連結されている第１可動錠板も摺動をすることができないため、鉤部材７６ｂも作動できない。すなわち、第１不正開錠防止部材８４、第１可動錠板５６、鉤部材７６ｂの上下方向の作動が規制される。
よって、この不正開錠防止機構８３が有効状態では、表枠２２（図２参照）と機台枠１２（図２参照）の間から、不正開錠を行おうとしても、鉤部材７６ｂ、第１可動錠板５６を作動させることはできない不正開錠防止位置となる。
また、不正開錠防止部材８４の作動レバー部位１０２と接触する当接部１９は、鉤受け部材１８ｂに設けられていることから、鉤受け部材１８ｂが鉤部材７６ｂの係合凹部８２に係合完了した後に、当接部１９が作動レバー部位１０２と接触するように設定することが容易である。そのため、従来のような、煩わしい不正開錠防止機構の作動調整も不要となる。
【００４６】
図７は、表枠２２（図３参照）が機台枠１２（図３参照）に対して閉止された状態から表枠２２（図３参照）の開錠する状態を示している。すなわち、不正開錠防止機構８３を有効状態から無効状態に移行させて、表枠２２（図３参照）の開錠する状態を示している。
表枠２２（図３参照）が機台枠１２（図３参照）に対して閉止された状態から、表枠２２（図３参照）の開錠を行うには、シリンダー錠１４０（図３参照）に鍵を挿入して開錠を行う。シリンダー錠１４０（図３参照）に鍵を挿入して回転させることによって、シリンダー錠１４０（図３参照）の先端部に取付けられた開錠カム部材１０６を図３の図示上、反時計回転方向に回転させる。
【００４７】
そうすると、開錠カム部材１０６（図３参照）に形成された第１開錠片１０７ａ（図３参照）が、不正開錠防止部材８４に形成された開錠カム部材係合片８６と係合し、不正開錠防止部材８４が独立して、回動ピン１１８を中心として時計回転方向に回転する。そして、不正開錠防止部材８４は、不正開錠防止部材８４のガイド片８７が、スリット４９のスリット端部４９ｂに当接する位置まで回動する。そうすると、不正開錠防止部材８４の係合部位８５ａと鉤受け部材１８ｂの係合部位２０の係合が外れる位置に移動する。
また、不正開錠防止部材８４が独立して、回動ピン１１８を中心として時計回転方向に回転する時の開錠カム部材係合片８６の位置は、第１可動錠板５６に形成された開錠カム部材係合片６８（図３参照）と重なり合う位置に設定されている。そのため、開錠カム部材１０６に形成された開錠片１０７ａ（図３参照）は、開錠カム部材係合片８６及び開錠カム部材係合片６８と同時に係合させる状態となっている。すなわち、シリンダー錠１４０（図３参照）に挿入された鍵を更に回転させると、不正開錠防止部材８４及び第１可動錠板５６が共に上方に摺動させることができるため、これらと連結する鉤部材７６ｂを回転させて係合凹部８２から鉤受け部材１８ｂが外せることができる。すなわち、鉤部材７６ｂは回動ピン１１２を中心として時計回転方向に回転しこれにより鉤部材７６ｂの係合部位８２が鉤受け部材１８ｂから外れる。
【００４８】
本発明の実施例に係る遊技機の錠装置は上述したように構成されている。この構成によれば、鉤受け部材１８ｂは、機台枠１２に対する表枠２２の施錠時に鉤部材７６ｂが係合されるという機能と、鉤受け部材１８ｂに備えられた当接部１９が鉤部材７６ｂの係合の後に不正開錠防止部材８４の係合部位８５ａと鉤受け部材１８ｂの係合部位２０の係合位置を第１可動錠板５６の摺動を規制する不正開錠防止位置にさせるという機能を有している。
【００４９】
この二つの機能が同一部材である鉤受け部材１８ｂによって果たされることから、当接部１９が不正開錠防止部材８４の係合部位８５ａと鉤受け部材１８ｂの係合部位２０の係合位置を第１可動錠板５６の摺動を規制する不正開錠防止位置にさせる位置と、鉤部材７６ｂと鉤受け部材１８ｂの係合位置を同時に設定することができる。そのため不正開錠防止機構８３の調整が容易となる。また、これにより鉤部材７６ｂと鉤受け部材１８ｂが完全に係合状態になってから不正開錠防止機構８３を有効状態に移行させることが容易となる。
【００５０】
また、従来のように独立して不正開錠防止機構を備える必要が無くなり遊技機の錠装置が複雑な構成にならない。そのため遊技機の錠装置の故障も減らすことが可能となる。
また、鉤受け部材１８ｂと鉤部材７６ｂとの係合作動において不正開錠防止位置にさせることができるため、不正開錠防止機構８３の無効状態から有効状態へ連続的に移行させることができるため操作性の向上を図ることができる。
【００５１】
更に、不正開錠防止機構８３は、単一の部材の不正開錠防止部材８４によって構成されている。そのため、部品点数の簡素化をすることができ、コスト面の低減を図ることができる。また、遊技機の錠装置が複雑な構成にならないため、更に故障発生頻度を低減させることができるため信頼性の向上を図ることができる。
【００５２】
本発明の遊技機の錠装置は、本実施の形態に限定されず、本発明の要旨を変更しない範囲で種々の変更、追加、削除が可能である。例えば、上記実施例では、パチンコ機の錠装置において説明したが、これに限定されるものではなく、スロット機等の他の遊技機の錠装置においても適用できるものである。
また、不正開錠防止部材８４は、第１可動錠板５６に備えられる構成を説明したが、これに限定されるものではなく、第２可動錠板１５０、に構成させて金枠２６に適用した場合には、更に不正開錠防止を図ることができる。
【図面の簡単な説明】
【００５３】
【図１】本実施例に係るパチンコ機の錠装置を前方から見た斜視図である。
【図２】本実施例に係るパチンコ機の後方から見た斜視図である。
【図３】本実施例に係るパチンコ機の錠装置の各構成品を後方、かつ、下方から見た構成図である。
【図４】本実施例に係るパチンコ機の錠装置の不正開錠防止機構の閉止作動前状態を側面から見た側面図である。
【図５】本実施例に係るパチンコ機の錠装置の不正開錠防止機構の閉止作動途中状態を側面から見た側面図である。
【図６】本実施例に係るパチンコ機の錠装置の不正開錠防止機構の閉止作動後状態を側面から見た側面図である。
【図７】本実施例に係るパチンコ機の錠装置の不正開錠防止機構の開錠作動状態を側面から見た側面図である。
【図８】従来のパチンコ機の錠装置の不正開錠防止機構の各構成品を示した構成図である。
【図９】（ａ図）従来のパチンコ機の錠装置の不正開錠防止機構の閉止作動前状態を側面から見た側面図である。（ｂ図）従来のパチンコ機の錠装置の不正開錠防止機構の閉止作動後状態を側面から見た側面図である。
【符号の説明】
【００５４】
１０      パチンコ機
１２      機台枠
１２ａ    縦枠
１８      鉤受け金具
１８ａ    鉤受け部材
１８ｂ    鉤受け部材
１９      当接部
２０      係合部位
２２      表枠
２２ａ    縦枠
２２ｂ    長孔
２２ｃ    長孔
２２ｄ    長孔
２２ｅ    錠取付孔
２６      金枠
２６ａ    ロック受け金具
２６ｂ    ロック受け金具
２８      前枠
２８ａ    ロック受け金具
３０      施錠ユニット
３２      固定基枠
３４      取付片
３６      シリンダー錠取付孔
４０      第１スライド保持片
４４      第２スライド保持片
４６      逃し長孔
４８      第３スライド保持片
４９      スリット
４９ａ    スリット端部
４９ｂ    スリット端部
５０      第４スライド保持片
５２      第５スライド保持片
５６      第１可動錠板
５８      第１摺接部
６０      回動ピン結合孔
６２      第２摺接部
６４ａ    開錠カム部材係合孔
６４ｂ    開錠カム部材係合孔
６８      開錠カム部材係合片
７０      回動ピン結合孔
７２      第３摺接部
７４      回動ピン結合孔
７６ａ    鉤部材
７６ｂ    鉤部材
８０      テーパー部
８２      係合凹部
８３      不正開錠防止機構
８４      不正開錠防止部材
８５      摺動規制部位
８５ａ    係合部位
８５ｒ    円弧部位
８６      開錠カム部材係合片
８７      ガイド片
９１      平板部
１０２    作動レバー部位
１０４    第１バネ部材
１０４ａ  第１バネ掛け部
１０４ｂ  第１バネ掛け部
１０６    開錠カム部材
１０７ａ  第１開錠片
１０７ｂ  第２開錠片
１０８    取付孔
１０９    皿ネジ
１１０    回動ピン
１１２    回動ピン
１１４    回動ピン
１１６    回動ピン
１１８    回動ピン
１２４    カシメピン
１２６    カシメピン
１２８    カシメピン
１３０    カシメピン
１３２    回動ピン
１４０    シリンダー錠
１４２    ねじ
１５０    第２可動錠板
１５２    第１摺接部
１５４    第２摺接部
１５６    操作レバー取付部位
１５８    操作レバー
１６０    第３摺接部
１６２    開錠カム部材係合孔
１６４    開錠カム部材係合片
１７０ａ  ロック爪
１７０ｂ  ロック爪
１７２    テーパー部
１７４    係合部
１７６    第４摺接部
１７８ａ  スリット
１７８ｂ  スリット
１８０    第２バネ部材
１８０ａ  第２バネ掛け部
１８０ｂ  第２バネ掛け部
２００    第３可動錠板
２０２    第１摺接部
２０４    第２摺接部
２０６    操作レバー
２０８ａ  スリット
２０８ｂ  スリット
２１０    ロック爪
２１２    テーパー部
２１４    係合部
２２０    第３バネ部材
２２０ｂ  第３バネ掛け部
２２０ａ  第３バネ掛け部
【図１】
0004652422.tif 000002
【図２】
0004652422.tif 000003
【図３】
0004652422.tif 000004
【図４】
0004652422.tif 000005
【図５】
0004652422.tif 000006
【図６】
0004652422.tif 000007
【図７】
0004652422.tif 000008
【図８】
0004652422.tif 000009
【図９】
0004652422.tif 000010